(57)【要約】【課題】無線タグを利用して電源やＣＰＵが不要で、コンパクトな構成のリモコン装置とする。【解決手段】無線電波を受信するアンテナ１２と、無線電波を受信して電源の供給を受け、この電源を利用してデータをアンテナから送信する無線タグＩＣと、当該無線タグＩＣのデータの送信をＯＮ／ＯＦＦ制御するスイッチ１０とで無線タグ９を構成し、これを機器本体（リーダ側）との間で無線タグＩＣのデータを通信できるようにすることにより、リモコン装置８とする。これにより、スイッチを１０ＯＮ動作させることにより、無線タグ９からの機器本体１１に対するデータの送信をＯＮ／ＯＦＦ制御することができる。つまり、専用の電源及びＣＰＵが不要であり、極めて簡単な構成でリモコン装置を構成することができる。【選択図】  図２
2004343680.tif 000002
【特許請求の範囲】
【請求項１】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで構成したことを特徴とする無線タグを用いたリモコン装置。
【請求項２】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとを一組の無線タグからなる信号発信装置とし、当該信号発信装置を複数組設けて本体装置の動作を制御するようにしたことを特徴とする無線タグを用いたリモコン装置。
【請求項３】
当該無線タグＩＣは、データを記憶するメモリーと、前記スイッチからの信号に応じてメモリー内のデータを送信する信号処理回路とを少なくとも備えている請求項１又は２に記載の無線タグを用いたリモコン装置。
【請求項４】
アンテナが一層目に形成され、メモリー、信号処理回路、スイッチが二層目に形成されている請求項３に記載の無線タグを用いたリモコン装置。
【請求項５】
スイッチ、メモリー、信号処理回路はそれぞれが一個で一組の判断装置を形成し、当該判断装置を複数組有し、各判断装置からの信号に応じてデータを送信するようにした請求項３又は４に記載の無線タグを用いたリモコン装置。
【請求項６】
無線電波を受信するアンテナと、無線電波を受信して電源の供給を受け、この電源を利用してデータをアンテナから送信する無線タグＩＣと、必要に応じて無線電波をシールドする手段とで構成したことを特徴とする無線タグを用いた機器。
【請求項７】
無線電波のシールド体内に、無線電波を受信するアンテナと、無線電波を受信して電源の供給を受け、この電源を利用してデータをアンテナから送信する無線タグＩＣとを配設し、前記無線電波のシールド体に電波の通過口を形成するためのシャッターを設けたことを特徴とする無線タグを用いた機器。
【請求項８】
無線電波を受信するアンテナと、無線電波を受信して電源の供給を受け、この電源を利用してデータをアンテナから送信する無線タグＩＣとを密閉して、液体を入れる容器内に配設して成り、前記アンテナは所定の水位になったときに電波を受信できないことを特徴とする無線タグを用いた機器。
【請求項９】
無線電波を受信するアンテナと、無線電波を受信して電源の供給を受け、この電源を利用してデータをアンテナから送信する無線タグＩＣと、前記アンテナの機能をＯＮ／ＯＦＦ制御する通信状態制御手段とで構成したことを特徴とする無線タグを用いた機器。
【請求項１０】
通信状態制御手段が、無線タグのアンテナに対して接近又は離隔することで無線タグのアンテナのリアクタンスを変更するものである請求項９に記載の無線タグを用いた機器。
【請求項１１】
通信状態制御手段が、無線タグのアンテナの導通状態を断続するスイッチである請求項９に記載の無線タグを用いた機器。
【請求項１２】
通信状態制御手段が、無線タグのアンテナと、リーダ側のアンテナとの距離を接近又は離隔することで、通信可能状態と不能状態とを切り換えるものである請求項９に記載の無線タグを用いた機器。
【発明の詳細な説明】
【技術分野】
【０００１】
本発明は、無線電波（ここでは電磁波を含む、以下同じ）を受信して電源の供給を受け、この電源を利用してデータをアンテナから送信する無線タグを用いた電源の内蔵を不要とするリモコン装置及び無線タグを用いた機器に関するものである。
【背景技術】
【０００２】
無線タグは、ＲＦＩＤ（Radio Frequency-IDentification）と呼ばれてあらゆる分野に利用され始めている。これは非接触でデータの読み出し、書き換えが可能であること。無線電波で交信するため、汚れ、ほこり等の影響をうけにくいこと。障害物を介して、データの交信が可能であること（金属等を除く）。内蔵電源が不要であること。アンチコリジョン機能搭載により、複数の無線タグとの同時アクセスが可能であること等の機能的特徴を有しているからである。
【０００３】
ところで、このような無線タグを家庭内の家電製品のリモコン装置として利用する技術が、例えば特許文献１等で公知である。この特許文献１に記載された技術では、図１０及び図１１に示すように、リモコン装置１は無線タグ２と端末装置３とから構成されている。無線タグ２は、家電装置、業務機器、通信装置４等から放射される電波を受けて電源を発生させるようになっている。そして、家電装置、業務機器、通信装置４等からのコマンドあるいは予め定められる手順に応じて、無線タグ２の記憶部に記憶されている識別符号を送信し、更にコマンドあるいは手順に応じて、記憶部内のデータを送信したり、あるいは記憶部内にデータを書き込んだりしている。無線送信の電力も、家電装置、業務機器、通信装置４等から発射される電波によって供給されている。また端末装置３の電源も無線タグ２から供給されるようになっている。
【特許文献１】特開２００２−２４６９４７（特に［００４０］〜［００４４］の記載並びに図１０及び図１２を参照）
【発明の開示】
【発明が解決しようとする課題】
【０００４】
ところが、前記特許文献１に記載されたリモコン装置１では、端末装置３によって無線タグ２の記憶部のデータを書き込んだりしており、端末装置３自体に中央演算処理装置（ＣＰＵ）５が必要であって、判断回路等の複雑な回路構成が必要であった。また端末装置３にＣＰＵ５のための電源が別途必要であった。更に、無線タグ２と端末装置３との間で通信部６及び７が必要となり、構成が複雑化してコストアップの原因になっていた。
【０００５】
本発明は従来の前記課題に鑑みてこれを改良除去したものであって、無線タグを利用して電源やＣＰＵが不要で、コンパクトに構成することのできるリモコン装置及び無線タグを利用した機器を提供せんとするものである。
【課題を解決するための手段】
【０００６】
前記課題を解決するために本発明が採用した請求項１の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで構成したことを特徴とする無線タグを用いたリモコン装置である。
【０００７】
本発明が採用した請求項２の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとを一組の無線タグからなる信号発信装置とし、当該信号発信装置を複数組設けて本体装置の動作を制御するようにしたことを特徴とする無線タグを用いたリモコン装置である。
【０００８】
本発明が採用した請求項３の手段は、当該無線タグＩＣは、データを記憶するメモリーと、前記スイッチからの信号に応じてメモリー内のデータを送信する信号処理回路とを少なくとも備えている請求項１又は２に記載の無線タグを用いたリモコン装置である。
【０００９】
本発明が採用した請求項４の手段は、アンテナが一層目に形成され、メモリー、信号処理回路、スイッチが二層目に形成されている請求項３に記載の無線タグを用いたリモコン装置である。
【００１０】
本発明が採用した請求項５の手段は、スイッチ、メモリー、信号処理回路はそれぞれが一個で一組の判断装置を形成し、当該判断装置を複数組有し、各判断装置からの信号に応じてデータを送信するようにした請求項３又は４に記載の無線タグを用いたリモコン装置である。
【００１１】
本発明が採用した請求項６の手段は、無線電波を受信するアンテナと、無線電波を受信して電源の供給を受け、この電源を利用してデータをアンテナから送信する無線タグＩＣと、必要に応じて無線電波をシールドする手段とで構成したことを特徴とする無線タグを用いた機器である。
【００１２】
本発明が採用した請求項７の手段は、無線電波のシールド体内に、無線電波を受信するアンテナと、無線電波を受信して電源の供給を受け、この電源を利用してデータをアンテナから送信する無線タグＩＣとを配設し、前記無線電波のシールド体に電波の通過口を形成するためのシャッターを設けたことを特徴とする無線タグを用いた機器である。
【００１３】
本発明が採用した請求項８の手段は、無線電波を受信するアンテナと、無線電波を受信して電源の供給を受け、この電源を利用してデータをアンテナから送信する無線タグＩＣと、前記アンテナの機能をＯＮ／ＯＦＦ制御する通信状態制御手段とで構成したことを特徴とする無線タグを用いた機器である。
【００１４】
本発明が採用した請求項９の手段は、無線電波を受信するアンテナと、無線電波を受信して電源の供給を受け、この電源を利用してデータをアンテナから送信する無線タグＩＣと、前記アンテナの機能をＯＮ／ＯＦＦ制御する通信状態制御手段とで構成したことを特徴とする無線タグを用いた機器である。
【００１５】
本発明が採用した請求項１０の手段は、通信状態制御手段が、無線タグのアンテナに対して接近又は離隔することで無線タグのアンテナのリアクタンスを変更するものである請求項９に記載の無線タグを用いた機器である。
【００１６】
本発明が採用した請求項１１の手段は、通信状態制御手段が、無線タグのアンテナの導通状態を断続するスイッチである請求項９に記載の無線タグを用いた機器である。
【００１７】
本発明が採用した請求項１２の手段は、通信状態制御手段が、無線タグのアンテナと、リーダ側のアンテナとの距離を接近又は離隔することで、通信可能状態と不能状態とを切り換えるものである請求項９に記載の無線タグを用いた機器である。
【発明の効果】
【００１８】
請求項１の発明にあっては、無線電波を受信して電源の供給を受け、この電源を利用してデータをアンテナから送信する無線タグＩＣと、当該無線タグＩＣのデータの送信をＯＮ／ＯＦＦ制御するスイッチとでリモコン装置を構成したから、例えば、スイッチをＯＮ動作させることにより、機器本体からの無線電波を受けることができ、無線タグＩＣに電源電圧が発生し、メモリに保存されていたデータの送信が可能となる。このうように、スイッチをＯＮ／ＯＦＦすることにより、無線タグＩＣからの機器本体に対するデータの送信をＯＮ／ＯＦＦ制御することができ、専用の電源及びＣＰＵが不要であり、極めて簡単な構成でリモコン装置を構成することができる。
【００１９】
また請求項２の発明にあっては、前記一個の無線タグＩＣと一個のスイッチとを一組の信号発信装置とし、当該信号発信装置を複数組設けて本体装置の動作を制御するようにしたから、任意のスイッチをＯＮ動作させることにより、当該無線タグＩＣに保存されているデータを機器本体側へアンテナを介して送信するとができる。複数の異なるデータであっても、ＣＰＵを必要とせず、無線タグＩＣとスイッチとアンテナとによる簡単な構成でリモコン操作が可能である。
【００２０】
請求項３の発明にあっては、無線タグＩＣをメモリーとして利用し、無線タグを電源不要の送受信器として利用することができる。スイッチをＯＮ動作させることにより、信号処理回路を動作させ、無線タグＩＣのデータをアンテナを利用して機器本体側へ送信することができるので簡単な構成でリモコン装置を構成でき、ＣＰＵ等が不要である。
【００２１】
更に、請求項４の発明にあっては、アンテナを一層目に形成し、メモリー、信号処理回路、スイッチとを二層目に形成するようにしたから、全体の構成がコンパクトであり、全体を樹脂モールディングして防水性を付与することも可能であり、しかも壁面等に埋め込むことが容易である。
【００２２】
それに加えて請求項５の発明にあっては、メモリー、信号処理回路、スイッチをそれぞれが一個で一組の判断装置とし、当該判断装置を複数組設け、無線タグは各判断装置からの信号に応じてデータを送信するようにしたから、複数のメモリーのデータをそれぞれスイッチで選択して、選択された一つの無線タグのアンテナで個別に機器本体側へ送信することができ、多くの機能を有する機器本体のリモコン操作が可能である。
【００２３】
請求項６の発明にあっては、無線電波を受信するアンテナと、無線電波を受信して電源の供給を受け、この電源を利用してデータをアンテナから送信する無線タグＩＣと、必要に応じて無線電波をシールドする手段とで無線タグを用いた機器を構成している。この発明では、アンテナが常時接続の状態にある。無線電波がシールドされているときは、無線タグＩＣのデータは送信されないようになっている。無線電波が受信できるときには、機器本体（リーダ側）からの無線電波を受けることにより、無線タグＩＣは電源電圧が発生し、メモリに保存されていたデータの送信が可能となる。
【００２４】
更に請求項７の発明にあっては、無線電波のシールド体内に、無線電波を受信するアンテナと、無線電波を受信して電源の供給を受け、この電源を利用してデータをアンテナから送信する無線タグＩＣとを配設し、前記無線電波のシールド体に電波の通過口を形成するためのシャッターを設けている。この発明では、シャッターを開けたときにのみ、アンテナが電波を受信して無線タグＩＣのデータを送信できるようになっている。
【００２５】
更にまた、請求項８の発明にあっては、無線電波を受信するアンテナと、無線電波を受信して電源の供給を受け、この電源を利用してデータをアンテナから送信する無線タグＩＣとを密封して、液体を入れる容器内に配設して成る。前記アンテナは所定の水位になったときに電波を受信できないようになっている。従って、この発明では、アンテナが電波を受信できなくなった状態でその水位を検知できることになり、例えば、浴槽などへの湯の供給を自動的に停止する等の自動湯張りが可能である。
【００２６】
更に、請求項９の発明にあっては、無線電波を受信するアンテナと、無線電波を受信して電源の供給を受け、この電源を利用してデータをアンテナから送信する無線タグＩＣと、該無線タグＩＣのアンテナの機能をＯＮ／ＯＦＦ制御する通信状態制御手段とで無線タグを用いた機器を構成するようにしている。この発明では、アンテナの機能がＯＮ状態になっているときは、無線タグＩＣからのデータが送信され、アンテナの機能がＯＦＦ状態になっているときは、無線タグＩＣからのデータは送信されない。
【００２７】
更に、請求項１０の発明にあっては、通信状態制御手段が、無線タグのアンテナに対して接近又は離隔することで無線タグのアンテナのリアクタンスを変更するものとしている。従って、この発明の場合、金属棒等を無線タグのアンテナに対して接近又は離隔させることにより、無線タグアンテナのリアクタンスを変更し、無線タグＩＣのデータを送信又は非送信に制御することが可能である。
【００２８】
更に、請求項１１の発明にあっては、通信状態制御手段を、無線タグのアンテナの導通状態を断続するスイッチで構成している。アンテナの導通状態を断続することにより、無線タグＩＣのデータを送信又は非送信に制御することが可能である。
【００２９】
更に、請求項１２の発明にあっては、無線タグのアンテナと、リーダ側のアンテナとの距離を接近又は離隔することで、通信可能状態又は不能状態とを切り換えるようにしている。すなわち、無線タグと、リーダ側とのアンテナどうしの間で、無線電波の送受信を断続することで、無線タグＩＣのデータを送信又は非送信に制御するようにしている。
【発明を実施するための最良の形態】
【００３０】
以下に、本発明の構成を図面に示す発明の実施の形態に基づいて説明すると次の通りである。図１及び図２は本発明の第１の実施の形態に係るものであり、図１は機器構成を示すブロック図、図２は回路構成を示すブロック図である。図１に示す如く、この第１の実施の形態のリモコン装置８は、無線電波を受信するアンテナ１２と、無線電波を受信して電源の供給を受け、この電源を利用してデータをアンテナ１２から送信する無線タグＩＣ（メモリ１６及び信号処理回路）と、スイッチ１０とを備えた無線タグ９を有している。信号処理回路は、図２では検出／制御回路１５がこれに相当する。リモコン装置８は、例えば、トイレ室内の壁面等に埋設されて使用される。またスイッチ１０は、透過型の赤外線センサーであってもよく、静電容量センサーであってもよく、使用者のスイッチ操作を検出することのできるものであればよい。赤外線センサーである場合は、指先で赤外線を遮断すればよく、静電容量センサーである場合は、指先でセンサーをタッチすればよい。無線タグ９は、例えばシャワートイレ等の機器本体（リーダ側）１１と無線電波で送受信を行うように設定されている。
【００３１】
次に、このように構成されたリモコン装置８の動作態様を、図２の回路ブロック図及び図３のフローチャートを参照して説明する。使用者がトイレ室内へ入ると、これを人体検知センサーが検知し、シャワートイレの機器本体１１が起動状態となり、無線タグ９へ電波が送信される。図２に示すように、無線タグ９は、この電波をアンテナ１２で受信する。これにより内部の電圧発生回路１３に動作用の電圧が発生する。
【００３２】
一方、スイッチ１０に指先を近づけるか又はタッチすることにより、スイッチ１０がこれを検知し、センサー回路１４にスイッチ操作が行われたこと（応答あり）を指令する。センサー回路１４は、これを確認し、検出／制御回路１５にＯＮ動作を指令する。検出／制御回路１５は、電圧発生回路１３からの電源の供給を受け、無線タグＩＣのメモリー１６に記憶されているデータを読み取り、当該データを無線通信インターフエイス１７を通じてアンテナ１２からシャワートイレの機器本体１１へ送信する。機器本体１１側では、送信されたデータに応じた設定動作が行われる。これにより、無線通信方式によるリモコン操作が行われたことになる。
【００３３】
図４は、待機状態と指令を受けて動作するときの状態を、図３の場合と逆にした場合のフローチャートである。この図４の場合は、待機状態においてスイッチ１０から信号が出力されるように設定しておき、使用者がスイッチ１０を操作したときに、信号の出力が停止され、無線タグＩＣのメモリー１６に記憶されているデータを無線通信インターフエイス１７を通じてアンテナ１２からシャワートイレの機器本体１１へ送信するようにしたものである。基本的に動作並びに作用効果は、同じである。
【００３４】
図５は、本発明の第２の実施の形態に係るリモコン装置１８の機器構成図である。同図に示す如く、このリモコン装置１８では、図１に示す、無線タグ９及びその構成部品の一つであり、外部へ導出したスイッチ１０とを一組とし、これを三組設けている。各無線タグ９Ａ〜９Ｃの無線タグＩＣメモリー１６（図２を参照）には異なるデータが記憶されている。従って、使用者が任意のスイッチ１０Ａ〜１０Ｃを操作することにより、これに対応する無線タグ９Ａ〜９Ｃのメモリー１６に記憶されたデータが機器本体１１側へ送信され、シャワートイレ等の機器本体１１はその内容に応じた動作を行うようになる。つまり、複数の機能を行うことが可能である。
【００３５】
図６は、本発明の第３の実施の形態に係るリモコン装置１９を示すものであり、図（Ａ）は１層目の無線タグ２０を示す正面図、図（Ｂ）は２層目の構成部材を示す正面図、図（Ｃ）はリモコン装置１９の縦断面側面図である。このリモコン装置１９では、無線タグ２０は送受信用としてのみ機能する。２層目は、スイッチ１０Ａ〜１０Ｃと信号処理回路２１Ａ〜２１ＣとメモリーとしてのＩＣ２２Ａ〜２２Ｃとから成る。
【００３６】
信号処理回路２１Ａ〜２１Ｃは、対応するスイッチ１０Ａ〜１０Ｃからの信号によりＩＣ２２Ａ〜２２Ｃ内のデータを読み取り、無線タグ２０の送受信回路２３へ出力する。送受信回路２３は、送られてきたＩＣ２２Ａ〜２２Ｃのデータを無線通信インターフエイスを通じてアンテナから機器本体１１へ送信し、機器本体１１に所定の動作を行わせる。従って、このリモコン装置１９では、各ＩＣ２２Ａ〜２２Ｃに記憶させた複数の機能をリモコン操作することが可能である。
【００３７】
しかも、無線タグ２０のアンテナを一層目に形成し、その他のスイッチ１０Ａ〜１０Ｃ、信号処理回路２１Ａ〜２１Ｃ、メモリー２２Ａ〜２２Ｃとを二層目に形成するようにしたから、全体の構成がコンパクトとなる。また全体を樹脂モールディングして防水性を付与することも可能であり、しかも壁面等に埋め込むことも容易である。
【００３８】
図７は、本発明の第４の実施の形態に係るものである。この実施の形態にあっては、自動水栓２４の水栓本体２５を電波をシールドする効果のある材料、例えば金属又はメッキを施したもの等で構成している。そして、水栓本体２５の上面に設けた平坦部に、電波をシールドする効果のある材料で成形されたシャッター２６によって開閉される電波の通過口２７を設け、該通過口２７に臨む水栓本体２５内に樹脂モールディング等により、密封した無線タグ２８を配設している。なお、同図において、符号２９は吐水口である。
【００３９】
このように構成された自動水栓２４にあって、今、給湯器本体（図示せず）等から無線タグ２８に電源を供給するための電波が常に発信されている状態であるとする。自動水栓２４のシャッター２６が閉じられている状態では、水栓本体２５及びシャッター２６によって電波がシールドされているので、無線タグ２８に電波が届かず、無線タグ２８は電源が供給されない状態であって保有するデータを発信することもない。
【００４０】
一方、自動水栓２４の使用に際し、使用者がシャッター２６を開けると、電波の通過口２７を通じて無線タグ２８へ給湯器本体等からの電波が受信され、無線タグ２８はこれによって電源が供給されることになり、その保有するデータを給湯器本体側へ送信する。給湯器本体は、この無線タグ２８からの電波を受信して給湯を開始する等のそのデータが指示する通りの動作をすることになる。
このように無線タグ２８を樹脂モールディングして水栓本体２５内へ配設することにより、自動水栓２４の配線を無くすことが可能であり、また主要部の完全防水が可能であって、水栓自体の極めて簡略化が可能である。
【００４１】
なお、この図７に示す第４の実施の形態において、無線タグ２８の代わりに図１に示す無線タグ９とスイッチ１０との組み合わせからなるリモコン装置８を用いてもよい。この場合、使用者が入室したこと又は自動水栓２４に近づいたことをドアや天井、壁面等に設置した人体検知センサー（図示せず）で検知してシャッター２４を開くようにし、使用者がスイッチ１０を操作したときに、無線タグ９から給湯器等へデータが送信されるようにしてもよい。そして、スイッチ１０をＯＦＦにして無線タグ９からのデータの送信を停止し、使用者が自動水栓２４から離れたとき又は退室したときに人体検知センサーからの信号によってシャッター２６を閉じるようにすればよい。
【００４２】
図８は、本発明を自動湯張り検知装置３０へ適用した場合の第５の実施の形態に係るものである。同図に示す如く、この実施の形態にあっては、浴槽３１の底面に樹脂モールディングする等して密封した無線タグ３２を配設し、これに対向して浴室天井裏にリーダー３３を設置している。このリーダー３３は、給湯器（図示せず）へ信号を出力し、給湯器をＯＮ／ＯＦＦ制御する。なお、上記無線タグ３２は、浴槽３１の本体をハンドレイアップ法により成形するときに、樹脂材料又は強化繊維等と一緒に浴槽底面壁に一体的に埋設するようにしてもよい。
【００４３】
次に、このように構成された自動湯張り検知装置３０の動作態様を説明する。先ず、浴槽３１の排水栓を閉塞し、給湯器を湯張りモードにする。この状態では浴槽３１内にはお湯が全く入っておらず、無線タグ３２はリーダー３３からの電波を受信して電力が供給され、その保有するデータを送信する。データが送信されている間は給湯が継続して行われる。そして、所定の水位になると、リーダー３３からの電波が無線タグ３２へ届かなくなる。そのため、無線タグ３２は、動作用の電力及びデータ送信用の電力が供給されなくなり、データの送信を停止する。この電波が届かなくなる水位は、リーダー３３の送信出力を設定することにより、自由に調整することが可能である。
【００４４】
リーダー３３は、無線タグ３２からデータが送信されなくなると、これで浴槽３１へ所定の高さまでお湯が供給されたことを認識し、給湯器へ湯張り動作（浴槽３１へのお湯の供給）の停止信号を出力する。これにより給湯器は、浴槽３１へのお湯の供給を停止するようになる。
この自動湯張り検知装置３０の場合も、無線タグ３２を樹脂モールディングして浴槽３１内へ配設することにより、浴槽水位を検知する手段の配線を無くすことが可能であり、また主要部の完全防水が可能であって、浴槽水位検知手段自体の極めて簡略化が可能である。
【００４５】
図９は、本発明の第６の実施の形態に係るものである。この実施の形態では、無線タグ３４のアンテナ（ループ状コイル）３５の機能を通信制御手段３６によってＯＮ／ＯＦＦ制御するようにしている。同図の図（Ａ）に示すものは、アンテナ３５に対して接近又は離隔することにより、そのリアクタンス（Ｌ）を変更することのできる金属等の材料を通信制御手段３６としている。アンテナ３５のリアクタンス（Ｌ）を変更することにより、アンテナ３５が通信可能状態になったり、通信不能状態になり、結局、無線タグにＯＮ／ＯＦＦスイッチを取り付けた第１の実施の形態の場合と同じになる。
一方、図９の図（Ｂ）に示すものは、ループ状コイルのアンテナ３５を導通状態又は非導通状態に切り換えるスイッチ３７を設けて通信制御手段３６としている。
【００４６】
このように通信制御手段３６によってアンテナ３５の機能をＯＮ／ＯＦＦ制御することにより、アンテナ３５の機能がＯＮの状態に操作されているときには、機器本体側から発信される電波をアンテナ３５が受信し、無線タグ３４の動作用の電力とデータ送信用の電力が得られる。そのため、無線タグ３４からその保有するデータが送信され、機器本体等はそのデータの指示に基づいた動作が行われる。またアンテナ３５の機能がＯＦＦ状態に操作されているときには、無線タグ３４は非動作状態であり、その保有するデータが機器本体側へ送信されることはない。
【００４７】
ところで、無線タグＩＣのメモリに記憶されているデータの無線電波による通信をＯＮ／ＯＦＦ制御するための通信制御手段は、無線タグのアンテナの導通状態を断続するスイッチで構成するようにしてもよい。このようなスイッチは、アンテナ回路自体の配線途中にタッチセンサー、静電容量センサー等のスイッチを設けてもよく、アンテナを通信不能にできる部材との間にスイッチを設けてもよい。またアンテナとグラウンド（アース）との間にスイッチを設けるようにしてもよい。更に、アンテナ内に通信不能にできるジャンパー配線を設け、その配線上にスイッチを設けるようにしてもよい。更にまた、アンテナが複数パッチのものからなる場合には、各アンテナの素子間にスイッチを設けもよく、複数パッチアンテナの枝配線間にスイッチを設けるようにしてもよい。更に、複数素子アンテナである場合には、素子間にスイッチを設けるようにしてもよい。更に、スロットアンテナである場合には、スロットを開閉するものでスイッチを構成するようにすることも可能である。
【００４８】
また、通信制御手段３６は、無線タグ３４のアンテナ３５と、リーダ側のアンテナ（図示せず）との距離を接近又は離隔することにより、通信可能状態又は不能状態とを切り換えるようにすることも可能である。そのための構成としては、例えば、引出に無線タグ３４及びアンテナ３５を設置し、机本体にリーダ側のアンテナを固定設置すればよい。引出を開けたときには、無線タグ３４のアンテナ３５がリーダ側のアンテナから電波の通信可能領域を越えて離れるため、通信不能状態となり、引出を閉めたときには無線タグ３４のアンテナ３５がリーダ側のアンテナに対して接近し、電波の通信可能領域内に存在するようになるので、通信可能状態となる。このような関係は、引戸と建物躯体との間、開閉扉と建物躯体との間等においても同様に構成することが可能である。
【００４９】
ところで、本発明は上述した実施の形態に限定されるものではなく、適宜の変更が可能である。例えば、図１〜図６に示す実施の形態にあっては、機器本体１１は人体検知センサーによって人体の検知信号が出力されたときに、無線電波を無線タグへ送信し、無線タグに電源電圧を発生させる場合を説明したが、常時、機器本体側から無線電波を送信し、無線タグはいつでも送信できる状態に設定しておくことも可能である。また図１〜図９の全ての実施の形態の場合を含めて、対象となる機器本体は、シャワートイレや自動水栓、浴槽以外にも通常の家電製品や生活用品等であってもよい。
【図面の簡単な説明】
【００５０】
【図１】本発明の第１の実施の形態に係るリモコン装置の機器構成を示すブロック図である。
【図２】本発明の第１の実施の形態に係るリモコン装置の回路構成を示すブロック図である。
【図３】本発明の第１の実施形態に係るリモコン装置のフローチャート図である。
【図４】本発明の第１の実施の形態に係るリモコン装置の別のフローを示すフローチャート図である。
【図５】本発明の第２の実施の形態に係るリモコン装置の機器構成図である。
【図６】本発明の第３の実施の形態に係るリモコン装置を示すものであり、図（Ａ）は１層目の正面図、図（Ｂ）は２層目の正面図、図（Ｃ）は装置全体の縦断面側面図である。
【図７】本発明の第４の実施の形態に係る自動水栓を示す透視斜視図である。
【図８】本発明の第５の実施形態に係る湯張り自動検知装置の透視斜視図である。
【図９】本発明の第６の実施の形態に係るものであり、図（Ａ）は通信状態制御手段が金属棒である場合の概略構成図、図（Ｂ）は通信状態制御手段がスイッチである場合の概略構成図である。
【図１０】従来のリモコン装置の機器構成図である。
【図１１】従来のリモコン装置の回路構成図である。
【符号の説明】
【００５１】
８…リモコン装置、９…無線タグ、１０…スイッチ、１１…機器本体、９Ａ〜９Ｃ…無線タグ、１０Ａ〜１０Ｃ…スイッチ、１９…リモコン装置、２０…無線タグ、２１Ａ〜２１Ｃ…信号処理回路、２２Ａ〜２２Ｃ…メモリー（ＩＣ）、２３…送受信回路、２４…自動水栓、２５…水栓本体、２６…シャッター、２７…電波の通過口、２８…無線タグ、３０…浴槽自動湯張り装置、３１…浴槽、３２…無線タグ、３３…リーダー、３４…無線タグ、３５…無線タグのコイル状アンテナ、３６…通信状態制御手段
【図１】
2004343680.tif 000003
【図２】
2004343680.tif 000004
【図３】
2004343680.tif 000005
【図４】
2004343680.tif 000006
【図５】
2004343680.tif 000007
【図６】
2004343680.tif 000008
【図７】
2004343680.tif 000009
【図８】
2004343680.tif 000010
【図９】
2004343680.tif 000011
【図１０】
2004343680.tif 000012
【図１１】
2004343680.tif 000013